Podtech/llm-jp-corpus-v4-ja_patent huggingface dataset:
【手続補正書】
【提出日】平成29年11月29日(2017.11.29)
【手続補正１】
【補正対象書類名】特許請求の範囲
【補正対象項目名】請求項１
【補正方法】変更
【補正の内容】
【請求項１】
外観部材の内部に別体の通水路部材が取付けられるシャワーヘッドであって、
２つ以上の別体の通水部部材を連結し、供給された湯水が通水される通水路が形成される
通水路部材と、
内部に前記通水路部材を固定する外観部材と、
前記通水路部材を、２箇所以上の位置で前記外観部材に固定する固定部と、を備え、
前記通水路部材の前記通水部部材は、２箇所以上の位置の前記固定部の間において前記通
水部部材同士を接続し、且つ前記通水部部材の変形量を吸収する吸収機構を形成している、
ことを特徴とするシャワーヘッド。
【手続補正２】
【補正対象書類名】特許請求の範囲
【補正対象項目名】請求項２
【補正方法】変更
【補正の内容】
【請求項２】
前記通水路部材の前記通水部部材は、前記固定部により前記吸収機構内の適正位置に配置され、
前記吸収機構は、前記通水部部材が前記適正位置に対して縮んだときにも、前記通水部部材同士が接続された接続部分での水密性が維持され、且つ前記通水部部材が前記適正位置に対して伸びたときにも前記通水部部材の変形量を吸収することができる請求項１に記載のシャワーヘッド。
【手続補正３】
【補正対象書類名】特許請求の範囲
【補正対象項目名】請求項５
【補正方法】変更
【補正の内容】
【請求項５】
前記吸収機構は、前記通水部部材が適正位置から伸びたときに前記通水部部材同士の間に通水方向の隙間が残るような、先端側の伸び吸収しろと、前記通水部部材が前記適正位置から縮んだときに前記通水部部材同士が接続された接続部分での水密性が維持されるような、基部側の縮み吸収しろと、を備え、前記伸び吸収しろは、前記縮み吸収しろよりも大きくなるように形成されている請求項１乃至４の何れか１項に記載のシャワーヘッド。
【手続補正４】
【補正対象書類名】明細書
【補正対象項目名】０００８
【補正方法】変更
【補正の内容】
【０００８】
本発明において、好ましくは、通水路部材の通水部部材は、固定部により吸収機構内の適正位置に配置され、吸収機構は、通水部部材が適正位置に対して縮んだときにも、通水部部材同士が接続された接続部分での水密性が維持され、且つ通水部部材が適正位置に対して伸びたときにも通水部部材の変形量を吸収することができることを特徴としている。
このように構成された本発明においては、吸収機構は、通水部部材が適正位置に対して縮んだときにも接続部分での水密性が維持され、且つ通水部部材が適正位置に対して伸びたときにも通水部部材の変形量を吸収することができるように、通水部部材同士を接続する接続機構を形成している。従って、このような吸収機構により、比較的簡易な構成により、通水路部材の変形量と外観部材の変形量との違いを吸収することができる。よって、固定部において通水路部材の変形量と外観部材の変形量とが異なることにより、固定部に応力が発生し、その結果、外観部材の表面上に設けられためっきの割れ・剥がれ等の破損、又は通水路部材の破損が発生してしまうことを防止することができる。
【手続補正５】
【補正対象書類名】明細書
【補正対象項目名】００１１
【補正方法】変更
【補正の内容】
【００１１】
本発明において、好ましくは、さらに、吸収機構は、通水部部材が適正位置から伸びたときに通水部部材同士の間に通水方向の隙間が残るような、先端側の伸び吸収しろと、通水部部材が適正位置から縮んだときに通水部部材同士が接続された接続部分での水密性が維持されるような、基部側の縮み吸収しろと、を備え、伸び吸収しろは、縮み吸収しろよりも大きくなるように形成されている。
このように構成された本発明においては、好ましくは、吸収機構は、伸び吸収しろが縮み吸収しろよりも大きくなるように形成されているので、通水部部材が適正位置に配置された常温状態からの温度変化が比較的大きい比較的高温の湯水が通水路部材内に通水されて通水路部材が膨張する比較的大きな伸びを吸収することができ、さらに常温状態からの温度変化が比較的小さい比較的低温の湯水が通水路部材内に通水されて通水路部材が収縮する比較的小さな縮みを吸収することができる。
【手続補正書】
【提出日】平成29年11月29日(2017.11.29)
【手続補正１】
【補正対象書類名】特許請求の範囲
【補正対象項目名】請求項３
【補正方法】変更
【補正の内容】
【請求項３】
前記規制手段は、
前記第１外観部材に設けられた第１突起部と、
前記通水路部材に設けられた第２突起部とを備え、
前記第１突起部は、前記第２突起部よりも上流側に配置され、
前記第１突起部は、前記第１外観部材に対する前記通水路部材の上流側への移動を、前記
通水路部材の前記第２突起部と当接することにより規制するようになっている請求項２に
記載のシャワーヘッド。
【手続補正２】
【補正対象書類名】特許請求の範囲
【補正対象項目名】請求項４
【補正方法】変更
【補正の内容】
【請求項４】
前記規制手段は、
前記第２外観部材に設けられた第４突起部と、
前記通水路部材に設けられた第３突起部とを備え、
前記第４突起部は、前記第３突起部よりも下流側に配置され、
前記第４突起部は、前記第２外観部材に対する前記通水路部材の下流側への移動を、前記
通水路部材の前記第３突起部と当接することにより規制するようになっている請求項２又
は３に記載のシャワーヘッド。
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の進行を制御する遊技制御手段と、
演出を制御する演出制御手段とを備え、
前記遊技制御手段は、
遊技の進行を遅延させる遅延制御を実行するか否かを決定する決定手段と、
前記遅延制御を開始するときに、該遅延制御を開始することを特定可能な所定コマンドを前記演出制御手段に送信する所定コマンド送信手段と、
前記遅延制御の実行中に特定表示結果を導出する導出手段と、
前記遅延制御の実行中に前記特定表示結果が導出されたときに、該遅延制御の実行中に前記特定表示結果が導出されたことを特定可能な特定コマンドを前記演出制御手段に送信する特定コマンド送信手段とを含み、
前記演出制御手段は、前記特定コマンドを受信したときに、特典に関する報知を実行する、スロットマシン。
【手続補正２】
【補正対象書類名】明細書
【補正対象項目名】０００７
【補正方法】変更
【補正の内容】
【０００７】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の進行を制御する遊技制御手段と、
演出を制御する演出制御手段とを備え、
前記遊技制御手段は、
遊技の進行を遅延させる遅延制御を実行するか否かを決定する決定手段と、
前記遅延制御を開始するときに、該遅延制御を開始することを特定可能な所定コマンドを前記演出制御手段に送信する所定コマンド送信手段と、
前記遅延制御の実行中に特定表示結果を導出する導出手段と、
前記遅延制御の実行中に前記特定表示結果が導出されたときに、該遅延制御の実行中に前記特定表示結果が導出されたことを特定可能な特定コマンドを前記演出制御手段に送信する特定コマンド送信手段とを含み、
前記演出制御手段は、前記特定コマンドを受信したときに、特典に関する報知を実行する。
また、以下のような構成であってもよい。
（１）  各々が識別可能な複数種類の識別情報を変動表示可能な可変表示部（リール２Ｌ〜２Ｒ）を備え、
前記可変表示部を変動表示した後、前記可変表示部の変動表示を停止することで表示結果（透視窓３から視認可能となる図柄）を導出し、該表示結果に応じて入賞が発生可能なスロットマシン（スロットマシン１）において、
遊技の進行を制御する手段であって、遅延条件が成立しているときには遊技の進行を遅延期間に亘って遅延させる遊技制御手段（メイン制御部４１）と、
前記可変表示部を制御する可変表示部制御手段（リール回転処理）と、
導出操作を受付ける導出操作受付手段（ストップスイッチ８Ｌ〜８Ｒ）とを備え、
前記可変表示部制御手段は、
前記遅延期間でないときに前記導出操作受付手段が受付けた導出操作に応じて、可変表示部に対応する所定領域（透視窓３）内の所定位置（上段、中段、下段）に表示結果を導出させるように可変表示部を制御する第１可変表示部制御手段（フリーズ中以外のリール制御を行うための処理）と、
前記遅延期間であるときに前記導出操作受付手段が受付けた導出操作に応じて、前記可変表示部の変動表示を仮停止することで前記所定領域内の前記所定位置とは異なる特定位置（半図柄分ずれた位置）に仮表示結果を仮導出させるように可変表示部を制御する第２可変表示部制御手段（フリーズ中のリール制御を行うための処理）とを含む。
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
複数の図柄列上にある複数種類の図柄を移動させて表示する図柄表示ゲームで、少なくとも押し順役と特定役を含めて役抽選を行って、各々の図柄列に対応して設けられた停止手段が、役抽選で内部当選した押し順役に応じた操作順序で操作されると、対応する図柄列を停止させて、押し順役を入賞させる遊技機において、
特別遊技の初期値を決定する初期値決定手段と、
該特別遊技とは状態が異なる特定遊技を実行するまでのゲーム数である残特定遊技数を決定する残特定遊技数決定手段と、
該残特定遊技数が所定数に達したことを契機として、前記特別遊技から前記特定遊技状態に設定する状態設定手段と、
前記役抽選で特定役が決定された場合に前記初期値を更新するか否かを決定し、更新する場合には、該初期値を更新する更新手段と、
を具備し、
前記状態設定手段は、前記初期値と前記残特定遊技数を比較し、該初期値が残特定遊技数未満の場合には、上乗せ高確率状態に設定し、
前記更新手段は、前記上乗せ高確率状態に設定されていて且つ、前記役抽選で前記特定役が当選した場合に、該上乗せ高確率状態とは状態が異なる上乗せ通常状態で該特定役が当選した場合と比較して高確率で前記初期値を更新すること、
を特徴とする遊技機。
【請求項２】
請求項１に記載の遊技機において、
前記状態設定手段は、前記更新手段が前記初期値を更新し、該初期値と前記残特定遊技数を比較し、該初期値が所定数以上の場合には、上乗せ高確率状態から上乗せ通常状態に設定することを特徴とする遊技機。
【請求項３】
請求項１又は請求項２に記載の遊技機において、
前記特別遊技中に、前記役抽選で前記押し順役が当選した場合に、該押し順役を入賞させる為の停止手段の操作順序を表示手段に表示することを特徴とする遊技機。
【請求項４】
請求項１乃至請求項３の何れかに記載の遊技機において、
前記特定遊技は、前記初期値を増加する上乗せ遊技に移行するか否かを決定する判定遊技であることを特徴とする遊技機。
【手続補正２】
【補正対象書類名】明細書
【補正対象項目名】００１９
【補正方法】変更
【補正の内容】
【００１９】
請求項１に係る本発明の遊技機は、上記の目的を達成する為に複数の図柄列上にある複数種類の図柄を移動させて表示する図柄表示ゲームで、少なくとも押し順役と特定役を含めて役抽選を行って、各々の図柄列に対応して設けられた停止手段が、役抽選で内部当選した押し順役に応じた操作順序で操作されると、対応する図柄列を停止させて、押し順役を入賞させる遊技機において、特別遊技の初期値を決定する初期値決定手段と、該特別遊技とは状態が異なる特定遊技を実行するまでのゲーム数である残特定遊技数を決定する残特定遊技数決定手段と、該残特定遊技数が所定数に達したことを契機として、前記特別遊技から前記特定遊技状態に設定する状態設定手段と、前記役抽選で特定役が決定された場合に前記初期値を更新するか否かを決定し、更新する場合には、該初期値を更新する更新手段と、を具備し、前記状態設定手段は、前記初期値と前記残特定遊技数を比較し、該初期値が残特定遊技数未満の場合には、上乗せ高確率状態に設定し、前記更新手段は、前記上乗せ高確率状態に設定されていて且つ、前記役抽選で前記特定役が当選した場合に、該上乗せ高確率状態とは状態が異なる上乗せ通常状態で該特定役が当選した場合と比較して高確率で前記初期値を更新することを特徴とする。
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
プレイヤーのポイントが消費された後に、前記プレイヤーのポイントを時間経過に伴い回復させる情報処理装置であって、
プレイヤーのポイントよりも大きいポイントを持つ複数のステージが選択候補として配置されたステージ選択画面が表示されている際に、前記プレイヤーがいずれかのステージを指定する操作を行なうと、その指定されたステージの指定可能期間内に前記プレイヤーのポイントが回復できることを条件としてその指定されたステージの予約登録するステージ予約登録処理部と、
前記プレイヤーに指定された前記ステージに参加可能である他のプレイヤーのキャラクターが選択候補として配置されたキャラクター選択画面が表示されている際に、前記プレイヤーがいずれかの他のプレイヤーのキャラクターを指定する操作を行なうと、その指定された他のプレイヤーのキャラクターの予約登録するキャラクター予約登録処理部と、
前記プレイヤーのポイントが予約登録されたステージのポイントまで回復したことを条件として、予約登録された他のプレイヤーのキャラクターを自動的に参加させてその予約登録されたステージでのゲームを自動的に開始させるゲーム進行処理部と、
を備えたことを特徴とする情報処理装置。
【請求項２】
請求項１に記載の情報処理装置であって、
前記キャラクター予約登録処理部は、
前記プレイヤーのランクと前記プレイヤーに指定された前記他のプレイヤーのランクとの差分に応じて前記他のプレイヤーの参加可能期間を決定し、
前記プレイヤーのポイントが予約登録されたステージのポイントまで回復したときに、前記プレイヤーに指定された前記他のプレイヤーの参加可能期間が経過しているか否かに基づいて、前記他のプレイヤーのキャラクターの予約登録する、
ことを特徴とする情報処理装置。
【請求項３】
請求項１又は２に記載の情報処理装置であって、
前記ステージ予約登録処理部は、
プレイヤーのポイントとステージのポイントとの差分に対して１ポイントを回復させるために必要な単位時間を乗算することによって、前記プレイヤーのポイントが前記ステージのポイントに回復するまでの回復時間を決定し、
前記プレイヤーに指定されたステージの指定可能期間内に、その決定された回復時間が経過して前記プレイヤーのポイントが前記ステージのポイントに回復するか否かに基づいて、前記ステージの予約登録する、
ことを特徴とする情報処理装置。
【請求項４】
請求項１乃至３のいずれかに記載の情報処理装置であって、
前記ステージ予約登録処理部は、前記プレイヤーのランクが低いほど前記プレイヤーが指定したステージを多く予約登録する、
ことを特徴とする情報処理装置。
【請求項５】
プレイヤーのポイントが消費された後に、前記プレイヤーのポイントを時間経過に伴い回復させるゲームプログラムであって、
コンピューターに、
プレイヤーのポイントよりも大きいポイントを持つ複数のステージが選択候補として配置されたステージ選択画面が表示されている際に、前記プレイヤーがいずれかのステージを指定する操作を行なうと、その指定されたステージの指定可能期間内に前記プレイヤーのポイントが回復できることを条件としてその指定されたステージの予約登録するステージ予約登録処理と、
前記プレイヤーに指定された前記ステージに参加可能である他のプレイヤーのキャラクターが選択候補として配置されたキャラクター選択画面が表示されている際に、前記プレイヤーがいずれかの他のプレイヤーのキャラクターを指定する操作を行なうと、その指定された他のプレイヤーのキャラクターの予約登録するキャラクター予約登録処理と、
前記プレイヤーのポイントが予約登録されたステージのポイントまで回復したことを条件として、予約登録された他のプレイヤーのキャラクターを自動的に参加させてその予約登録されたステージでのゲームを自動的に開始させるゲーム進行処理と、
を実行させることを特徴とするゲームプログラム。
【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
血液処理装置の血液送出ポンプ（１）の流量を決定かつ調整するための方法であって、
流体で満たされた容器（３）を前記血液処理装置の体外血液ライン（５）の動脈ラインまたは動脈ポートと接続すること（Ｓ１）と、
流体を前記容器（３）から前記体外血液ライン（５）に送出するために所定の理論送出量で前記血液送出ポンプ（１）を駆動することによって前記体外血液ライン（５）をプライミングするプライミングステップを実行すること（Ｓ２）と、
プライミングの間の前記体外血液ライン（５）への流体の送出による流体で満たされた前記容器からの流体の減損を決定すること（Ｓ３）と、
前記理論送出量の下で送出される流体の量の値を、実際に送出された流体の量の値と比較することによってプライミングの間に補正率を決定すること（Ｓ４）と、
血流が通常の入口動脈圧範囲における許容可能な誤差の範囲内に維持されるように、決定された前記補正率をより高い送出量までプリテンションすること（Ｓ５）と、
を含む方法。
【請求項２】
前記補正率に基づいて前記血液送出ポンプ（１）の前記流量を調整するステップ（Ｓ６）をさらに含む、請求項１に記載の方法。
【請求項３】
プライミングステップの間の流体の前記減損は、プライミングステップの間に前記体外血液ライン（５）へ送出された流体の量の重量を計算することによって決定される、請求項１又は２に記載の方法。
【請求項４】
前記ポンプ（１）が、少なくとも２つのポンピング領域またはポンピングストロークを有するぜん動ポンプである、請求項１から３のいずれか一項に記載の方法。
【請求項５】
個別セグメント補正率または個別ストローク補正率が、前記ぜん動ポンプ（１）の各ポンピングセグメント／ストロークに対して決定される、請求項４に記載の方法。
【請求項６】
前記補正率または前記個別セグメント補正率は、前記血液ポンプ（１）によって送出される流体の偏差を通常の入口動脈流量範囲において許容範囲内に維持するように所与の範囲で増大される（Ｓ５）、請求項５に記載の方法。
【請求項７】
前記容器が、生理食塩水で充填されたバッグ（３）である、請求項１から６のいずれか一項に記載の方法。
【請求項８】
排液容器（７）が、前記体外血液ライン（５）の出口（１０）に、特に前記体外血液ラインの静脈ラインまたは静脈ポートに接続される、請求項１から７のいずれか一項に記載の方法。
【請求項９】
前記所定の理論送出量が、少なくとも前記プライミングステップの間、一定である、請求項１から８のいずれか一項に記載の方法。
【請求項１０】
前記容器（３）が前記血液送出ポンプ（１）の動脈入口（９）と接続される、請求項１から９のいずれか一項に記載の方法。
【請求項１１】
プライミングの間、血液処理装置の血液送出ポンプ（１）の流量を決定かつ調整するための制御装置（１１）であって、
前記血液処理装置が、
流体で満たされ、かつ、前記血液処理装置の体外血液ライン（５）の動脈ラインまたは動脈ポートと接続される容器（３）と、
流体を前記容器（３）から体外血液ライン（５）へ送出する前記血液送出ポンプ（１）と、
前記体外血液ライン（５）への流体の送出による前記容器からの流体の減損を決定するための決定手段（２）と、を備え、
前記制御装置（１１）が、前記流体が所定の理論送出量で前記容器（３）から前記体外血液ライン（５）へ送出されるように前記血液送出ポンプ（１）を制御し、
前記決定手段（２）が、プライミングの間の前記体外血液ライン（５）への流体の送出による、流体で満たされた前記容器からの流体の減損を決定し、
前記制御装置（１１）が、前記理論送出量の下で送出された流体の量を、プライミングの間に前記決定手段によって決定された前記流体の減損と比較することによって補正率を決定し、
前記制御装置（１１）が、血流が通常の入口動脈圧範囲における許容可能な誤差の範囲内に維持されるように、決定された前記補正率をより高い送出量までプリテンションする、制御装置（１１）。
【請求項１２】
前記補正率が、前記血液ポンプ（１）によって送出される流体の偏差を通常の入口動脈流量範囲において許容範囲内に維持するように所与の範囲で増大される、請求項１１に記載の制御装置（１１）。
【請求項１３】
前記制御装置（１１）が前記補正率に基づいて前記血液送出ポンプ（１）の流量を調整する、請求項１１または１２に記載の制御装置（１１）。
【手続補正書】
【提出日】平成29年12月12日(2017.12.12)
【手続補正１】
【補正対象書類名】特許請求の範囲
【補正対象項目名】請求項１
【補正方法】変更
【補正の内容】
【請求項１】
お馬さんごっこの馬役が背負う玩具であって、乗り役が馬役に跨った際に操作する操作具を有する乗り物の操作盤に、馬役が背負って身体に止めるための装着具を備えている、お馬さんごっこ用玩具。
【手続補正２】
【補正対象書類名】明細書
【補正対象項目名】００１０
【補正方法】変更
【補正の内容】
【００１０】  上記課題は、お馬さんごっこの馬役が背負う玩具であって、乗り役が馬役に跨った際に操作する操作具を有する乗り物の操作盤に、馬役が背負って身体に止めるための装着具を備えている、お馬さんごっこ用玩具を提供することによって達成される。
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
液体供給源から液体供給路を介して供給される液体を液滴として吐出するノズルを複数有し、媒体に対して前記ノズルから液滴を吐出して記録処理を行う液滴吐出部と、
該液滴吐出部のメンテナンス動作を行うメンテナンス部と、
前記ノズルに連通する圧力室内の状態を検出可能な吐出状態検出部と、
を備え、
前記吐出状態検出部によって、前記メンテナンス動作前と、前記メンテナンス動作中及び前記メンテナンス動作後のうち少なくとも一方において前記圧力室内の状態を検出し、前記メンテナンス動作による前記圧力室内の状態の変化に基づいて、前記メンテナンス部と前記液体供給路に配置された機能部のうち少なくとも一方の機能不全を判断可能なことを特徴とする液滴吐出装置。
【請求項２】
前記圧力室内の状態の変化が前記圧力室内の気泡の増加である場合、前記メンテナンス部と前記機能部のうち少なくとも一方が機能不全であると判断することを特徴とする請求項１に記載の液滴吐出装置。
【請求項３】
前記メンテナンス部は、前記液滴吐出部に接触して前記ノズルが臨む空間を閉塞するキャップ部と、前記空間と大気とを連通させる大気連通部とを有する保湿キャップを含み、前記メンテナンス動作として前記キャップ部に前記空間を閉塞させ、
前記吐出状態検出部によって、前記キャップ部が前記空間を閉塞する前と、前記空間を閉塞した前記キャップ部が前記空間を開放した後の前記圧力室内の状態を検出し、前記圧力室内の状態の変化が前記圧力室内の気泡の増加である場合、前記大気連通部が機能不全であると判断することを特徴とする請求項２に記載の液滴吐出装置。
【請求項４】
前記機能部は、前記液体供給路に配置され異物を捕集するフィルターを含み、
前記メンテナンス部は、前記メンテナンス動作として前記ノズルから前記液体を吐出させ、
前記メンテナンス動作の前後に検出された前記圧力室内の状態の変化が前記圧力室内の気泡の増加である場合、前記フィルターが目詰まりしていると判断することを特徴とする請求項２に記載の液滴吐出装置。
【請求項５】
前記メンテナンス部は、前記メンテナンス動作に伴って前記ノズルから吐出させる単位時間当たりの吐出量が、前記記録処理時に前記ノズルから前記単位時間当たりに吐出する最大量と同じになるように前記ノズルから前記液体を吐出させることを特徴とする請求項４に記載の液滴吐出装置。
【請求項６】
前記メンテナンス部は、前記液滴吐出部に接触して前記ノズルが臨む空間を閉塞するキャップ部と、前記空間に負圧を印加することにより前記ノズルから前記液体を排出させるメンテナンスポンプとを含み、前記メンテナンス動作として閉塞された前記空間を負圧にし、
前記メンテナンス動作前と前記メンテナンス動作中に検出された前記圧力室内の状態が変化した場合、前記メンテナンス部の機能は正常であると判断することを特徴とする請求項１に記載の液滴吐出装置。
【請求項７】
前記吐出状態検出部は、前記ノズルに連通する圧力室を振動させるアクチュエーターの駆動によって振動した前記圧力室の振動波形を検出することによって、前記圧力室内の状態を検出することを特徴とする請求項１〜請求項６のうち何れか一項に記載の液滴吐出装置。
【請求項８】
前記液滴吐出部は、前記アクチュエーターを駆動して前記圧力室を振動させることで前記ノズルから液滴を吐出させることを特徴とする請求項７に記載の液滴吐出装置。
【請求項９】
前記圧力室内の状態の変化に基づいて、前記メンテナンス部及び前記機能部のうち少なくとも一方の機能不全を判断した場合、告知部により交換を促すことを特徴とする請求項１〜請求項８のうち何れか一項に記載の液滴吐出装置。
【手続補正２】
【補正対象書類名】明細書
【補正対象項目名】０００６
【補正方法】変更
【補正の内容】
【０００６】
以下、上記課題を解決するための手段及びその作用効果について記載する。
上記課題を解決する液滴吐出装置は、液体供給源から液体供給路を介して供給される液体を液滴として吐出するノズルを複数有し、媒体に対して前記ノズルから液滴を吐出して記録処理を行う液滴吐出部と、該液滴吐出部のメンテナンス動作を行うメンテナンス部と、前記ノズルに連通する圧力室内の状態を検出可能な吐出状態検出部と、を備え、前記吐出状態検出部によって、前記メンテナンス動作前と、前記メンテナンス動作中及び前記メンテナンス動作後のうち少なくとも一方において前記圧力室内の状態を検出し、前記メンテナンス動作による前記圧力室内の状態の変化に基づいて、前記メンテナンス部と前記液体供給路に配置された機能部のうち少なくとも一方の機能不全を判断可能である。
上記課題を解決する液滴吐出装置は、液体供給源から液体供給路を介して供給される液体を液滴として吐出するノズルを複数有し、媒体に対して前記ノズルから液滴を吐出して記録処理を行う液滴吐出部と、該液滴吐出部のメンテナンス動作を行うメンテナンス部と、前記ノズルに連通する圧力室を振動させるアクチュエーターの駆動によって振動した前記圧力室の振動波形を検出することによって、前記圧力室内の状態を検出可能な吐出状態検出部と、を備え、前記吐出状態検出部は、前記メンテナンス動作前に前記圧力室の振動波形を検出すると共に、前記メンテナンス動作中及び前記メンテナンス動作後のうち少なくとも一方において前記圧力室の振動波形を検出し、前記メンテナンス動作による前記圧力室内の状態の変化に基づいて、前記メンテナンス部と前記液体供給路に配置された機能部のうち少なくとも一方の機能不全を判断可能である。
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
画像処理を実行する画像処理モジュールを複数含む画像処理モジュール群と、
各画像処理モジュールの処理状況を管理する管理手段と、
を有し、
画像処理モジュール毎に処理単位として色数及び色毎の画素数が設定され、
各画像処理モジュールは、管理手段が管理する処理状況のうち前段の画像処理モジュールの処理状況に基づいて、設定された処理単位の画像処理を開始することを特徴とする画像処理装置。
【請求項２】
前記管理手段の管理する処理状況に基づき、処理対象の画像処理モジュールの前段の画像処理モジュールにおいて、処理対象の画像処理モジュールの処理単位分の処理が完了した場合、処理対象の画像処理モジュールに画像処理の開始を指示する制御手段をさらに備えることを特徴とする請求項１に記載の画像処理装置。
【請求項３】
前記制御手段は、前記管理手段の管理する処理状況に基づき、処理対象の画像処理モジュールの処理が完了した場合、当該処理対象の画像処理モジュールの前段の画像処理モジュールに処理済みのデータの削除を指示することを特徴とする請求項２に記載の画像処理装置。
【請求項４】
前記管理手段は、前記画像処理モジュール毎の処理済み色数の情報と処理済みの回数の情報を管理することを特徴とする請求項１〜３のいずれか１項に記載の画像処理装置。
【請求項５】
各画像処理モジュールに処理単位を設定する設定手段をさらに備え、
前記設定手段は、処理単位として色数及び色毎の画素数を設定することを特徴とする請求項１〜４のいずれか１項に記載の画像処理装置。
【請求項６】
前記設定手段は、画像処理モード毎に各画像処理モジュールに設定する処理単位を切り替えることを特徴とする請求項５に記載の画像処理装置。
【請求項７】
各画像処理モジュールから出力される出力結果が使用するメモリの使用量の上限を決定する決定手段をさらに備えることを特徴とする請求項１〜６のいずれか１項に記載の画像処理装置。
【請求項８】
複数の画像処理モジュールを含む画像処理モジュール群を有する画像処理装置の制御方法であって、
前記画像処理モジュール群の画像処理モジュールにより画像処理を実行する処理工程と、
各画像処理モジュールの処理状況を管理する管理工程と、
を有し、
画像処理モジュール毎に処理単位として色数及び色毎の画素数が設定され、
前記処理工程では、各画像処理モジュールは、前記管理工程において管理される処理状況のうち前段の画像処理モジュールの処理状況に基づいて、設定された処理単位の画像処理を開始することを特徴とする制御方法。
【請求項９】
複数の画像処理モジュールを含む画像処理モジュール群を有する画像処理装置のコンピュータに、
前記画像処理モジュール群の画像処理モジュールにより画像処理を実行する処理工程と、
各画像処理モジュールの処理状況を管理する管理工程と、
を実行させるプログラムであって、
画像処理モジュール毎に処理単位として色数及び色毎の画素数が設定され、
前記処理工程では、各画像処理モジュールは、前記管理工程において管理される処理状況のうち前段の画像処理モジュールの処理状況に基づいて、設定された処理単位の画像処理を開始することを特徴とするプログラム。
【請求項１０】
前記コンピュータに、
前記管理工程で管理する処理状況に基づき、処理対象の画像処理モジュールの前段の画像処理モジュールにおいて、処理対象の画像処理モジュールの処理単位分の処理が完了した場合、処理対象の画像処理モジュールに画像処理の開始を指示する制御工程をさらに実行させることを特徴とする請求項９に記載のプログラム。
【請求項１１】
前記制御工程では、前記管理工程で管理する処理状況に基づき、処理対象の画像処理モジュールの処理が完了した場合、当該処理対象の画像処理モジュールの前段の画像処理モジュールに処理済みのデータの削除を指示することを特徴とする請求項１０に記載のプログラム。
【請求項１２】
前記管理工程では、前記画像処理モジュール毎の処理済み色数の情報と処理済みの回数の情報を管理することを特徴とする請求項９〜１１のいずれか１項に記載のプログラム。
【請求項１３】
前記コンピュータに、
各画像処理モジュールに処理単位を設定する設定工程をさらに実行させ、
前記設定工程では、処理単位として色数及び色毎の画素数を設定することを特徴とする請求項９〜１２のいずれか１項に記載のプログラム。
【請求項１４】
前記設定工程は、画像処理モード毎に各画像処理モジュールに設定する処理単位を切り替えることを特徴とする請求項１３に記載のプログラム。
【請求項１５】
前記コンピュータに、
各画像処理モジュールから出力される出力結果が使用するメモリの使用量の上限を決定する決定工程をさらに実行させることを特徴とする請求項９〜１４のいずれか１項に記載のプログラム。
【手続補正２】
【補正対象書類名】明細書
【補正対象項目名】０００６
【補正方法】変更
【補正の内容】
【０００６】
上記課題を解決するために、本発明の画像処理装置は、画像処理を実行する画像処理モジュールを複数含む画像処理モジュール群と、各画像処理モジュールの処理状況を管理する管理手段と、を有し、画像処理モジュール毎に処理単位として色数及び色毎の画素数が設定され、各画像処理モジュールは、管理手段が管理する処理状況のうち前段の画像処理モジュールの処理状況に基づいて、設定された処理単位の画像処理を開始する。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
所定条件を満たす複数のプレイヤが参加可能な抽選イベントを実行する情報処理装置であって、
前記複数のプレイヤそれぞれから前記抽選イベントに関する抽選要求を受け付ける手段と、
前記複数のプレイヤのうち１のプレイヤが前記抽選要求を行った時刻に基づき、前記抽選イベントの開始時刻を設定する手段と、
前記開始時刻から所定の制限時間までに前記抽選要求を行ったプレイヤの数が多いほど、該抽選要求を行ったプレイヤに価値の高いゲームアイテムを付与する手段と、
を備える情報処理装置。
【請求項２】
前記所定条件は、プレイヤに関する位置を示す位置情報に基づく条件を含む、請求項１記載の情報処理装置。
【請求項３】
コンピュータに、
所定条件を満たす複数のプレイヤそれぞれから、前記複数のプレイヤが参加可能な抽選イベントに関する抽選要求を受け付けるステップと、
前記複数のプレイヤのうち１のプレイヤが前記抽選要求を行った時刻に基づき、前記抽選イベントの開始時刻を設定するステップと、
前記開始時刻から所定の制限時間までに前記抽選要求を行ったプレイヤの数が多いほど、該抽選要求を行ったプレイヤに価値の高いゲームアイテムを付与するステップと、
を実行させるプログラム。
【請求項４】
複数のゲーム装置と情報処理装置とを備え、所定条件を満たす複数のプレイヤが参加可能な抽選イベントを実行するゲーム処理システムであって、
各ゲーム装置は、
前記抽選イベントに関する抽選要求を前記情報処理装置に送信する送信部と、
前記抽選要求の結果を前記情報処理装置から受信する受信部と、を備え、
前記情報処理装置は、
前記各ゲーム装置から前記抽選要求を受け付ける手段と、
前記複数のプレイヤそれぞれが操作する前記ゲーム装置から受け付けた抽選要求に基づいて、前記複数のプレイヤのうち１のプレイヤが前記抽選要求を行った時刻に基づき、前記抽選イベントの開始時刻を設定する手段と、
前記開始時刻から所定の制限時間までに前記抽選要求を行ったプレイヤの数が多いほど、該抽選要求を行ったプレイヤに前記抽選要求の結果として価値の高いゲームアイテムを付与する手段と、
を備える、ゲーム処理システム。
【手続補正書】
【提出日】平成30年10月18日(2018.10.18)
【手続補正１】
【補正対象書類名】明細書
【補正対象項目名】０００６
【補正方法】変更
【補正の内容】
【０００６】
実施形態の磁気共鳴イメージング装置は、設定部と、比吸収率計算部と、制御部とを備える。設定部は、被検体の体表面積に基づいて、高周波コイルに供給される総電力と、前記被検体に吸収される電力との間の電力比を設定する。比吸収率計算部は、設定された前記電力比と、前記高周波コイルに供給される総電力とに基づいて、比吸収率を計算する。制御部は、計算された前記比吸収率に基づいて、前記高周波コイルから送信される高周波パルスの送信を制御する。
【手続補正２】
【補正対象書類名】特許請求の範囲
【補正対象項目名】全文
【補正方法】変更
【補正の内容】
【特許請求の範囲】
【請求項１】
被検体の体表面積に基づいて、高周波コイルに供給される総電力と、前記被検体に吸収される電力との間の電力比を設定する設定部と、
設定された前記電力比と、前記高周波コイルに供給される総電力とに基づいて、比吸収率を計算する比吸収率計算部と、
計算された前記比吸収率に基づいて、前記高周波コイルから送信される高周波パルスの送信を制御する制御部と
を備える、磁気共鳴イメージング装置。
【請求項２】
前記高周波コイルに実際に供給された前記総電力をモニタするモニタ部を更に備える、
請求項１に記載の磁気共鳴イメージング装置。
【請求項３】
前記設定部は、複数の体表面積と、各体表面積に対応する前記電力比との対応関係を示す対応情報に基づいて、前記電力比を設定する、
請求項１又は２に記載の磁気共鳴イメージング装置。
【請求項４】
前記設定部は、前記対応情報として、前記体表面積と前記電力比との間の線形関係を示す情報に基づいて、前記電力比を設定する、
請求項３に記載の磁気共鳴イメージング装置。
【請求項５】
前記設定部は、更に、前記被検体の撮像領域を用いて、前記電力比を設定する、
請求項１又は２に記載の磁気共鳴イメージング装置。
【請求項６】
前記設定部は、複数の撮像領域それぞれにおける、複数の体表面積と、各体表面積に対応する前記電力比との対応関係を示す対応情報に基づいて、前記電力比を設定する、
請求項５に記載の磁気共鳴イメージング装置。
【請求項７】
前記設定部は、複数の撮像領域それぞれにおける、前記体表面積と前記電力比との間の線形関係を示す情報に基づいて、前記電力比を設定する、
請求項６に記載の磁気共鳴イメージング装置。
【請求項８】
前記複数の体表面積、及び、各体表面積に対応する前記電力比は、複数の被検体から測定された値である、
請求項３，６，７のいずれか一つに記載の磁気共鳴イメージング装置。
【請求項９】
前記複数の体表面積、及び、各体表面積に対応する前記電力比は、人体モデルのシミュレータから推定された値である、
請求項３，６，７のいずれか一つに記載の磁気共鳴イメージング装置。
【請求項１０】
前記設定部は、前記被検体の撮像中に比吸収率が閾値を上回る可能性を低減するための安全域を、前記体表面積と前記電力比との間の線形関係に追加した情報に基づいて、前記電力比を設定する、
請求項９に記載の磁気共鳴イメージング装置。
【請求項１１】
前記設定部は、前記体表面積と前記電力比との間の区分線形近似の情報と、当該区分線形近似に前記安全域を追加した情報に基づいて、前記電力比を設定する、
請求項１０に記載の磁気共鳴イメージング装置。
【請求項１２】
前記設定部は、前記線形関係におけるばらつきに基づいて、前記安全域を追加する、
請求項１０又は１１に記載の磁気共鳴イメージング装置。
【請求項１３】
前記体表面積と前記電力比との間の線形関係を示す情報は、前記体表面積に第１の値を乗算して第２の値を加算した値と前記電力比とが等しくなる前記第１の値及び前記第２の値を含む、
請求項９に記載の磁気共鳴イメージング装置。
【請求項１４】
前記比吸収率計算部は、設定された前記電力比と、モニタされた前記総電力と、前記被検体の体重とに基づいて、前記比吸収率を計算する、
請求項１〜１３のいずれか一つに記載の磁気共鳴イメージング装置。
【請求項１５】
前記比吸収率計算部は、設定された前記電力比と、モニタされた前記総電力と、前記被検体の体重と、前記被検体の撮像に用いられるパルスシーケンスに基づいて、前記比吸収率を計算する、
請求項１〜１３のいずれか一つに記載の磁気共鳴イメージング装置。
【請求項１６】
前記体表面積を計算する体表面積計算部を更に備える、
請求項１〜１５のいずれか一つに記載の磁気共鳴イメージング装置。
【請求項１７】
前記体表面積計算部は、前記被検体について事前に得られた磁気共鳴信号の情報に基づいて、前記体表面積を推定する、
請求項１６に記載の磁気共鳴イメージング装置。
【請求項１８】
前記高周波コイルに供給される推定電力をプリスキャンに基づいて決定する決定部を更に備え、
前記比吸収率計算部は、前記電力比と、決定された前記推定電力とに基づいて、比吸収率を計算する、
請求項１〜１７のいずれか一つに記載の磁気共鳴イメージング装置。
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
表面層フルオロエラストマーであって、
前記表面層フルオロエラストマーの合計重量を基準として５５重量％〜９５重量％のフルオロシリコーンと、
前記表面層フルオロエラストマーの合計重量を基準として５重量％〜２０重量％の赤外線吸収材料と、
前記表面層フルオロエラストマーの合計重量を基準として１重量％〜５重量％のシリカと、
前記表面層フルオロエラストマーの合計重量を基準として０．１５重量％〜０．３５重量％の触媒と、
前記表面層フルオロエラストマーの合計重量を基準として１０重量％〜１８重量％の架橋剤とを含む、表面層フルオロエラストマー。
【請求項２】
８３重量％〜９３重量％の前記フルオロシリコーンと、
７重量％〜１５重量％の前記赤外線吸収材料と、
１重量％〜４重量％の前記シリカと、
０．２重量％〜０．３重量％のＰｔ触媒である前記触媒と、
１２重量％〜１６重量％の前記架橋剤とを含む、請求項１に記載の表面層フルオロエラストマー。
【請求項３】
前記赤外線吸収材料は、カーボンブラック、金属酸化物、カーボンナノチューブ、グラフェン、グラファイトおよび炭素繊維の少なくとも１つを含む、請求項２に記載の表面層フルオロエラストマー。
【請求項４】
２０重量％のカーボンブラックと、
１．１５重量％のシリカと、
０．２５重量％のＴＦＴ中の１４．３重量％Ｐｔ触媒と、
１５重量％の架橋剤とを含む、請求項１に記載の表面層フルオロエラストマー。
【請求項５】
前記カーボンブラックは、硫黄含有量が０．３％以下である、請求項３に記載の表面層フルオロエラストマー。
【請求項６】
前記シリカは、疎水性シリカを含む、請求項５に記載の表面層フルオロエラストマー。
【請求項７】
前記表面層フルオロエラストマーは、１．１５重量％の疎水性シリカを含む、請求項６に記載の表面層フルオロエラストマー。
【請求項８】
前記カーボンブラックは、平均粒径が２ナノメートル〜１０ミクロンであり、前記シリカは、平均粒径が１０ナノメートル〜０．２ミクロンである、請求項７に記載の表面層フルオロエラストマー。
【請求項９】
前記フルオロシリコーン中のシロキサン単位の少なくとも７５％は、フッ素化されている、請求項８に記載の表面層フルオロエラストマー。
【請求項１０】
前記カーボンブラックは、前記フルオロシリコーン中で凝集しない、請求項９に記載の表面層フルオロエラストマー。
【請求項１１】
表面層を備える画像化部材であって、前記表面層が、
前記表面層の合計重量を基準として５５重量％〜９５重量％のフルオロシリコーンと、
前記表面層の合計重量を基準として５重量％〜２０重量％の赤外線吸収材料と、
前記表面層の合計重量を基準として１重量％〜５重量％のシリカと、
前記表面層の合計重量を基準として０．１５重量％〜０．３５重量％の触媒と、
前記表面層の合計重量を基準として１０重量％〜１８重量％の架橋剤とを含み、
前記表面層は、厚みが１０ミクロン〜１ミリメートルであり、表面引張エネルギーが２２ダイン／ｃｍ以下であり、極性要素が５ダイン以下である、画像化部材。
【請求項１２】
前記表面層が、
８３重量％〜９３重量％の前記フルオロシリコーンと、
７重量％〜１５重量％の前記赤外線吸収材料と、
１重量％〜４重量％の前記シリカと、
０．２重量％〜０．３重量％のＰｔ触媒である前記触媒と、
１２重量％〜１６重量％の前記架橋剤とを含む、請求項１１に記載の画像化部材。
【請求項１３】
前記赤外線吸収材料は、カーボンブラック、金属酸化物、カーボンナノチューブ、グラフェン、グラファイトおよび炭素繊維の少なくとも１つを含む、請求項１２に記載の画像化部材。
【請求項１４】
前記表面層は、疎水性シリカを含み、前記カーボンブラックは、硫黄含有量が０．３％未満である、請求項１３に記載の画像化部材。
【請求項１５】
画像化部材を作製する方法であって、
基材の上に表面層をフローコーティングすることと、
コーティングされた前記表面層を高温で硬化させることとを含み、
前記表面層が、
前記表面層の合計重量を基準として５５重量％〜９５重量％のフルオロシリコーンと、
前記表面層の合計重量を基準として５重量％〜２０重量％の赤外線吸収材料と、
前記表面層の合計重量を基準として１重量％〜５重量％のシリカと、
前記表面層の合計重量を基準として０．１５重量％〜０．３５重量％の触媒と、
前記表面層の合計重量を基準として１０重量％〜１８重量％の架橋剤とを含み、
前記表面層は、厚みが１０ミクロン〜１ミリメートルであり、表面引張エネルギーが２２ダイン／ｃｍ以下であり、極性要素が５ダイン以下である、方法。
【請求項１６】
前記表面層が、
８３重量％〜９３重量％の前記フルオロシリコーンと、
７重量％〜１５重量％の前記赤外線吸収材料と、
１重量％〜４重量％の前記シリカと、
０．２重量％〜０．３重量％のＰｔ触媒である前記触媒と、
１２重量％〜１６重量％の前記架橋剤とを含み、
前記赤外線吸収材料は、カーボンブラック、金属酸化物、カーボンナノチューブ、グラフェン、グラファイトおよび炭素繊維の少なくとも１つを含む、請求項１５に記載の方法。
【請求項１７】
前記表面層は、疎水性シリカを含み、前記カーボンブラックは、硫黄含有量が０．３０％以下である、請求項１６に記載の方法。
【請求項１８】
前記カーボンブラックは、平均粒径が２ナノメートル〜１０ミクロンであり、前記シリカは、平均粒径が１０ナノメートル〜０．２ミクロンである、請求項１７に記載の方法。
【請求項１９】
前記フルオロシリコーン中のシロキサン単位の少なくとも７５％は、フッ素化されている、請求項１５に記載の方法。
【請求項２０】
前記カーボンブラックは、前記フルオロシリコーン中で凝集しない、請求項１７に記載の方法。
【手続補正書】
【提出日】平成29年12月13日(2017.12.13)
【手続補正１】
【補正対象書類名】明細書
【補正対象項目名】０００８
【補正方法】変更
【補正の内容】
【０００８】
本発明に係るレーザ加工装置は、レーザダイオードを含むＬＤユニットと、前記ＬＤユニットに設けられて当該ＬＤユニットを冷却する熱交換器と、前記ＬＤユニット及び前記熱交換器を収容する筐体と、を備えたレーザ加工装置において、前記筐体は、前記ＬＤユニットから発振されたレーザ光が導かれる光学部材と、前記光学部材を収容する上部ケースと、前記ＬＤユニット及び前記熱交換器を収容する下部ケースと、前記下部ケースの内部空間と前記上部ケースの内部空間とを連通する通気が形成された仕切り壁と、を有し、前記下部ケース内の空気を吸い込み冷却して当該上部ケース内に吹き出す冷却部と、前記冷却部から吹き出された空気を前記熱交換器に導く送風手段と、を備え、前記送風手段は、前記下部ケース内の空気を前記上部ケース内に導く冷却ファンと、前記上部ケース内の空気を前記下部ケース内に導く中間ファンと、を含み、前記冷却部から吹き出された空気により、前記光学部材の温度上昇を抑えつつ前記熱交換器が冷却されることを特徴とする。
【手続補正２】
【補正対象書類名】明細書
【補正対象項目名】０００９
【補正方法】変更
【補正の内容】
【０００９】
このような構成によれば、冷却部で冷却された空気（冷気）が上部ケース内から下部ケース内に効率的に導かれて熱交換器を冷却することができ、ＬＤユニット及び熱交換器から光学部材への熱伝達を抑えることができるので、光学部材の温度上昇を抑えつつ熱交換器が効率的に冷却され、簡易な構成でレーザダイオード（ＬＤ）を効率的に空冷することができる。これにより、ＬＤの高出力化を図ることができる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
上記のレーザ加工装置において、前記熱交換器は、前記冷却部の空気吸込口に対向して配設され、前記冷却ファンは、前記熱交換器と前記空気吸込口との間に配設されて前記下部ケース内の空気を前記空気吸込口に導いてもよい。
【手続補正９】
【補正対象書類名】特許請求の範囲
【補正対象項目名】全文
【補正方法】変更
【補正の内容】
【特許請求の範囲】
【請求項１】
レーザダイオードを含むＬＤユニットと、
前記ＬＤユニットに設けられて当該ＬＤユニットを冷却する熱交換器と、
前記ＬＤユニット及び前記熱交換器を収容する筐体と、を備えたレーザ加工装置において、
前記筐体は、前記ＬＤユニットから発振されたレーザ光が導かれる光学部材と、前記光学部材を収容する上部ケースと、前記ＬＤユニット及び前記熱交換器を収容する下部ケースと、前記下部ケースの内部空間と前記上部ケースの内部空間とを連通する通気が形成された仕切り壁と、を有し、
前記下部ケース内の空気を吸い込み冷却して当該上部ケース内に吹き出す冷却部と、
前記冷却部から吹き出された空気を前記熱交換器に導く送風手段と、を備え、
前記送風手段は、前記下部ケース内の空気を前記上部ケース内に導く冷却ファンと、前記上部ケース内の空気を前記下部ケース内に導く中間ファンと、を含み、
前記冷却部から吹き出された空気により、前記光学部材の温度上昇を抑えつつ前記熱交換器が冷却されることを特徴とするレーザ加工装置。
【請求項２】
請求項１に記載のレーザ加工装置において、
前記熱交換器は、前記冷却部の空気吸込口に対向して配設され、
前記冷却ファンは、前記熱交換器と前記空気吸込口との間に配設されて前記下部ケース内の空気を前記空気吸込口に導くことを特徴とするレーザ加工装置。
【請求項３】
請求項２記載のレーザ加工装置において、
前記光学部材は、前記レーザ光を遮断するシャッタユニットと、
前記レーザ光の出力を測定する出力測定手段と、を有し、
前記出力測定手段は、前記冷却部の空気吹出口と対向しない位置に設けられ、
前記シャッタユニットは、前記空気吹出口と対向する位置に設けられていることを特徴とするレーザ加工装置。
【請求項４】
請求項３記載のレーザ加工装置において、
前記シャッタユニットは、シャッタユニット本体と、
前記仕切り壁に設けられて前記シャッタユニット本体を支持する支持部と、を有し、
前記通気孔は、前記シャッタユニット本体の下方に位置し、
前記支持部のうち前記空気吹出口と対向する部位には、当該空気吹出口から吹き出された空気を前記通気孔に導く貫通孔が形成されていることを特徴とするレーザ加工装置。
【請求項５】
請求項４記載のレーザ加工装置において、
前記出力測定手段は、前記シャッタユニットに対して隣接して設けられ、
前記出力測定手段と前記シャッタユニットとの間には、前記空気吹出口から吹き出された空気を前記シャッタユニットが位置する側に案内する案内部が設けられていることを特徴とするレーザ加工装置。
【請求項６】
請求項２〜５のいずれか１項に記載のレーザ加工装置において、
前記筐体のうち前記冷却部と対向する位置には、空気が流通する流通孔が形成されており、
前記冷却部の空気吹出口から吹き出された空気が前記熱交換器を介さずに前記流通孔を通り前記冷却部の空気吸込口に導かれることを防止する防止壁を備えることを特徴とするレーザ加工装置。
【請求項７】
請求項２記載のレーザ加工装置において、
前記レーザ光を制御する制御部と、
前記下部ケースの内部空間を前記ＬＤユニット及び前記熱交換器が設けられたＬＤ室と前記制御部が設けられた制御室と仕切る隔壁と、を備え、
前記通気孔は、前記ＬＤ室に連通していることを特徴とするレーザ加工装置。
【請求項８】
請求項７記載のレーザ加工装置において、
前記ＬＤ室には、前記レーザダイオードを駆動するＬＤ電源と、
前記ＬＤ電源の排気の前記熱交換器への流通を阻止する遮蔽部と、が設けられていることを特徴とするレーザ加工装置。
【請求項９】
請求項８記載のレーザ加工装置において、
前記熱交換器は、前記下部ケースの底面から離間した状態で前記隔壁に支持され、
前記ＬＤ電源の排気は、前記熱交換器の下方の空間を介して前記冷却部の空気吸込口に導かれることを特徴とするレーザ加工装置。